(57)【要約】【課題】表示領域の輝度の均一度を向上させることができるバックライトユニット、バックライトユニットを含む表示装置、及び複数の表示装置を含むＤＩＤ装置を提供する。【解決手段】バックライトユニットは、ボトムカバー、光源、ミドルモールド、拡散板、及び光学シートを含むことができる。ボトムカバーは、底部と底部から突出された側壁とを含むことができる。光源は、ボトムカバーの内に収納されることができる。ミドルモールドは、ボトムカバーによって支持され、安着部分と安着部分の一端から底部に垂直の方向に延長された間隔維持部分とを含むことができる。拡散板は、安着部分上に配置されることができる。光学シートは、間隔維持部分上に配置され、拡散板と離隔されることができる。【選択図】図３
2017084777.tif 000002
【特許請求の範囲】
【請求項１】
表示パネルと、
前記表示パネルの下部に配置されたバックライトユニットと、を含み、
前記バックライトユニットは、
底部と前記底部から突出された側壁とを含むボトムカバーと、
前記ボトムカバーの内に収納された光源と、
前記ボトムカバーによって支持され、安着部分と前記安着部分の一端から前記底部に垂直の方向に延長された間隔維持部分とを含むミドルモールドと、
前記安着部分上に配置された拡散板と、
前記間隔維持部分上に配置され、前記拡散板と離隔された光学シートと、を含む表示装置。
【請求項２】
前記安着部分は、前記底部と平行である請求項１に記載の表示装置。
【請求項３】
前記間隔維持部分と前記拡散板とは、前記底部に水平な方向に離隔される請求項１に記載の表示装置。
【請求項４】
前記安着部分及び前記間隔維持部分は、一体の形状を有する請求項１に記載の表示装置。
【請求項５】
前記表示パネルは、前記光学シート上に配置され、
前記光学シートの中で最上部に配置された光学シートは、前記表示パネルに接触する請求項１に記載の表示装置。
【請求項６】
前記ミドルモールドは、
前記安着部分の他端から延長され、前記安着部分に傾いている傾斜部分と、
前記傾斜部分から前記底部に垂直の方向に延長された垂直支持部分と、
前記間隔維持部分から前記底部に平行の方向に延長された拡張部分をさらに含み、
前記安着部分、前記間隔維持部分、前記傾斜部分、前記垂直支持部分、及び前記拡張部分は、一体の形状を有する請求項１に記載の表示装置。
【請求項７】
前記ミドルモールドは、
前記安着部分の他端から一定の勾配を有して延長される傾斜部分と、
前記間隔維持部分から前記底部に平行の方向に延長された拡張部分と、をさらに含み、
前記安着部分、前記間隔維持部分、前記傾斜部分、及び前記拡張部分は、一体の形状を有する請求項１に記載の表示装置。
【請求項８】
前記ミドルモールドは、
前記安着部分の他端から延長され、曲がった形状を有する傾斜部分と、
前記間隔維持部分から前記底部に平行の方向に延長された拡張部分と、をさらに含み、
前記安着部分、前記間隔維持部分、前記傾斜部分、及び前記拡張部分は、一体の形状を有する請求項１に記載の表示装置。
【請求項９】
前記ミドルモールドは、
前記安着部分の他端から前記底部に垂直の方向に延長された垂直支持部分と、
前記間隔維持部分から前記トップカバーに隣接した方向に延長された拡張部分と、を含み、
前記安着部分、前記間隔維持部分、前記垂直支持部分、及び前記拡張部分は、一体の形状を有する請求項１に記載の表示装置。
【請求項１０】
底部と前記底部から突出された側壁を含むボトムカバーと、
前記ボトムカバーの内に収納された光源と、
前記ボトムカバーによって支持され、安着部分と前記安着部分の一端から前記底部に垂直の方向に延長された間隔維持部分とを含むミドルモールドと、
前記安着部分上に配置された拡散板と、
前記間隔維持部分上に配置され、前記拡散板と離隔された光学シートと、を含むバックライトユニット。
【発明の詳細な説明】
【技術分野】
【０００１】
本発明は、バックライトユニット、バックライトユニットを含む表示装置及び複数の表示装置を含むＤＩＤ装置に関し、さらに詳細には輝度の均一度が改善されたバックライトユニット、バックライトユニットを含む表示装置及び複数の表示装置を含むＤＩＤ装置に関する。
【背景技術】
【０００２】
表示装置は、自ら発光する自発光型の表示装置と別の光源を必要とする受光型表示装置とに分かれる。受光型表示装置の例としては、液晶表示装置、電気泳動表示装置、電気濕潤表示装置等がある。
【０００３】
受光型表示装置は、入射された光の透過度を制御する表示パネルと表示パネルに光を提供するバックライトユニットとを含む。
【０００４】
最近、市場の要求に応じて非表示領域（ベゼル）の幅が減っている。したがって、ベゼルの幅が減ることによってバックライトユニットの内部部品が配置される空間が不足するようになった。
【先行技術文献】
【特許文献】
【０００５】
【特許文献１】米国特許公開第２００９／００１００２５号明細書
【特許文献２】米国特許公開第２０１４／０３２０７７８号明細書
【特許文献３】米国特許公開第２０１５／００１６０９０号明細書
【特許文献４】日本国特許第３８８３９１２号公報
【発明の概要】
【発明が解決しようとする課題】
【０００６】
本発明の目的は、表示領域の輝度の均一度を向上させることができるバックライトユニット、バックライトユニットを含む表示装置、及び複数の表示装置を含むＤＩＤ装置を提供することにある。
【課題を解決するための手段】
【０００７】
本発明の一実施形態による表示装置は、表示パネル及びバックライトユニットを含むことができる。
【０００８】
前記バックライトユニットは、前記表示パネルの下部に配置されることができる。
【０００９】
前記バックライトユニットは、ボトムカバー、光源、ミドルモールド、拡散板、及び光学シートを含むことができる。
【００１０】
前記ボトムカバーは、底部と前記底部から突出された側壁を含むことができる。
【００１１】
前記光源は、前記ボトムカバーの内に収納される。
【００１２】
前記ミドルモールドは、前記ボトムカバーによって支持され、安着部分と前記安着部分の一端から前記底部に垂直の方向に延長された間隔維持部分を含むことができる。前記拡散板は、前記安着部分上に配置されることができる。
【００１３】
前記光学シートは、前記間隔維持部分上に配置され、前記拡散板と離隔されることができる。
【００１４】
前記安着部分は、前記底部と平行である。
【００１５】
前記間隔維持部分と前記拡散板とは、前記底部に水平な方向に離隔される。
【００１６】
前記安着部分及び前記間隔維持部分は、一体の形状を有することができる。
【００１７】
前記表示パネルは、前記光学シート上に配置されることができる。前記光学シートの中で最上部に配置された光学シートは、前記表示パネルに接触することができる。
【００１８】
前記ミドルモールドは、傾斜部分、垂直支持部分、及び拡張部分をさらに含むことができる。前記傾斜部分は、前記安着部分の他端から延長され、前記安着部分に傾くことができる。前記垂直支持部分は、前記傾斜部分から前記底部に垂直の方向に延長されることができる。前記拡張部分は、前記間隔維持部分から前記底部に平行の方向に延長されることができる。前記安着部分、前記間隔維持部分、前記傾斜部分、前記垂直支持部分、及び前記拡張部分は、一体の形状を有することができる。
【００１９】
前記ミドルモールドは、傾斜部分、垂直支持部分、及び拡張部分をさらに含むことができる。前記傾斜部分は、前記安着部分の他端から一定の勾配を有して延長されることができる。前記拡張部分は、前記間隔維持部分から前記底部に平行の方向に延長されることができる。前記安着部分、前記間隔維持部分、前記傾斜部分、及び前記拡張部分は、一体の形状を有することができる。
【００２０】
前記ミドルモールドは、傾斜部分及び拡張部分をさらに含むことができる。前記傾斜部分は、前記安着部分の他端から延長され、曲がった形状を有することができる。前記拡張部分は、前記間隔維持部分から前記底部に平行の方向に延長されることができる。前記安着部分、前記間隔維持部分、前記傾斜部分、及び前記拡張部分は、一体の形状を有することができる。
【００２１】
前記ミドルモールドは、垂直支持部分及び拡張部分をさらに含むことができる。前記垂直支持部分は、前記安着部分の他端から前記底部に垂直の方向に延長される。前記拡張部分は、前記間隔維持部分から前記底部に平行の方向に延長されることができる。前記安着部分、前記間隔維持部分、前記垂直支持部分、及び前記拡張部分は、一体の形状を有することができる。
【００２２】
前記底部は、方形の形状に提供されることができる。前記側壁は、前記底部の４辺の各々に接続された第１乃至第４側壁を含むことができる。前記第１乃至第４側壁の中で少なくとも１つは、前記底部と鈍角をなすことができる。
【００２３】
前記第１側壁は、前記底部と鈍角をなすことができる。前記表示装置は、前記第１側壁に締結されたホルダをさらに含むことができる。
【００２４】
前記第１側壁には、複数個のホールが提供されることができる。前記ホルダは、前記第１側壁に提供された前記ホールに挿入されて固定されることができる。
【００２５】
前記表示装置は、前記表示パネルに電気的に接続された印刷回路基板、及び前記表示パネルと前記印刷回路基板とを電気的に接続するフレキシブル印刷回路基板をさらに含むことができる。前記フレキシブル印刷回路基板は、前記第１側壁にベンディングされて前記印刷回路基板は、前記ホルダの内部に収納されることができる。
【００２６】
前記間隔維持部分は、互いに接続された前記第１及び第２側壁によって支持されなく、前記間隔維持部分は、互いに接続された前記第３及び第４側壁によって支持されることができる。
【００２７】
前記表示装置は、方形の形状の表示領域と前記表示領域の辺に沿って提供される第１乃至第４非表示領域とに区分されることができる。前記第１乃至第４非表示領域の各々は、前記第１乃至第４側壁の各々と重畳することができる。前記第１及び第２非表示領域の幅は、前記第３及び第４非表示領域の幅より大きいことができる。
【００２８】
前記第１非表示領域の幅と前記第２非表示領域の幅とは、互いに同一である。前記第３非表示領域の幅と前記第４非表示領域の幅とは、互いに同一である。
【００２９】
前記第１非表示領域の幅と前記第３非表示領域の幅との合計は、前記第２非表示領域の幅と前記第４非表示領域の幅との合計と互いに同一である。
【００３０】
前記表示装置は、前記表示パネルの縁をカバーし、前記表示パネルと前記バックライトユニットに結合されるトップカバーとをさらに含むことができる。前記表示装置は、前記トップカバーと前記表示パネルとの間に配置され、前記表示パネルの縁に沿って配置されるスペーサーをさらに含むことができる。
【００３１】
本発明の一実施形態によるバックライトユニットは、ボトムカバー、光源、ミドルモールド、拡散板、及び光学シートを含むことができる。
【００３２】
前記ボトムカバーは、底部と前記底部面から突出された側壁を含むことができる。
【００３３】
前記光源は、前記ボトムカバーの内に収納されることができる。
【００３４】
前記ミドルモールドは、前記ボトムカバーによって支持され、安着部分と前記安着部分の一端から前記底部に垂直の方向に延長された間隔維持部分とを含むことができる。前記拡散板は、前記安着部分上に配置されることができる。
【００３５】
前記光学シートは、前記間隔維持部分上に配置され、前記拡散板と離隔される。
【００３６】
本発明の一実施形態によるＤＩＤ（Ｄｉｇｉｔａｌ  Ｉｎｆｏｒｍａｔｉｏｎ  Ｄｉｓｐｌａｙ）装置は、互いに垂直の第１方向及び第２方向にＭｘＮのマトリックス状に配列された複数の表示装置を含むことができる。Ｍ及びＮは、自然数である。
【００３７】
前記表示装置の各々は、表示パネル及びバックライトユニットを含むことができる。前記バックライトユニットは、前記表示パネルの下部に配置されることができる。
【００３８】
前記バックライトユニットは、ボトムカバー、光源、ミドルモールド、拡散板、及び光学シートを含むことができる。
【００３９】
前記ボトムカバーは、底部と前記底部面から突出された側壁とを含むことができる。前記光源は、前記ボトムカバー内に収納されることができる。前記ミドルモールドは、前記ボトムカバーによって支持され、安着部分と前記安着部分の一端から前記底部に垂直の方向に延長された間隔維持部分とを含むことができる。前記拡散板は、前記安着部分上に配置されることができる。前記光学シートは、前記間隔維持部分上に配置され、前記拡散板と離隔されることができる。
【００４０】
前記表示装置の各々は、方形の形状の表示領域と前記表示領域に隣接した非表示領域とに区分されることができる。前記第１方向に隣接した２つの表示装置の表示領域の間の長さは、前記第２方向に隣接した２つの表示装置の表示領域の間の長さと互いに同一である。
【００４１】
前記安着部分及び前記間隔維持部分は、一体の形状を有することができる。
【発明の効果】
【００４２】
本発明の一実施形態によるバックライトユニット、表示装置、及びＤＩＤ装置は、表示領域の輝度の均一度を上昇させることができる。
【図面の簡単な説明】
【００４３】
【図１】本発明の一実施形態による表示装置の分解斜視図である。
【図２】表示パネルとバックライトユニットとの分解斜視図である。
【図３】図１のＩ−Ｉ’線に沿って切断した断面図である。
【図４】図１のＩＩ−ＩＩ’線に沿って切断した断面図である。
【図５】本発明の一実施形態による表示装置を図示した平面図である。
【図６】本発明の他の実施形態による表示装置の断面図である。
【図７】本発明の他の実施形態による表示装置の断面図である。
【図８】本発明の他の実施形態による表示装置の断面図である。
【図９】測定位置を図示した本発明の一実施形態による表示装置の表示領域を図示した平面図である。
【図１０】測定位置の中心位置に対する輝度比率を図示した図面である。
【図１１】本発明の表示装置が採用されたＤＩＤ（Ｄｉｇｉｔａｌ  Ｉｎｆｏｒｍａｔｉｏｎ  Ｄｉｓｐｌａｙ）装置を図示した図面である。
【発明を実施するための形態】
【００４４】
本発明は、多様な変更を加えることができ、様々な形態を有することがが、特定の実施形態を図面に例示して本文で詳細に説明する。しかし、これは本発明を特定の開示形態に限定しようとするものではなく、本発明の思想及び技術範囲に含まれる全ての変更、均等物乃至代替物を含むこととして理解しなければならない。また、図面で本発明と関係ない部分は、本発明の説明を明確にするために省略し、明細書の全体を通じて類似な部分に対しては同一の図面符号を付けた。
【００４５】
図１は、本発明の一実施形態による表示装置１０００の分解斜視図であり、図２は、表示パネルとバックライトユニットとの分解斜視図である。
【００４６】
図１を参照すれば、表示装置１０００は、表示パネル１００、トップカバー２００、及びバックライトユニットＢＬＵを含む。
【００４７】
表示パネル１００は、バックライトユニットＢＬＵから光を受けて映像を表示する。表示パネル１００は、液晶表示パネルのような受光型表示パネルであってもよいが、これに限定されるわけでない。以下、表示パネル１００は、液晶表示パネルである例を例示的に説明する。
【００４８】
表示パネル１００は、映像を表示する表示領域ＤＡと表示領域ＤＡを囲んで映像を表示しない非表示領域ＮＤＡとに区分される。
【００４９】
表示パネル１００は、第１基板１１０、第１基板１１０に対向する第２基板１２０、及び二つの基板の間に配置された液晶層を含む。
【００５０】
第１基板１１０は、ゲートライン、データライン、薄膜トランジスタ、及び画素電極を含む。ゲートラインとデータラインとは、互いに絶縁されて交差する。薄膜トランジスタは、３端子の素子で、１つのゲートライン、１つのデータライン、及び１つの画素電極に接続される。ゲートラインに印加された信号に従って、データラインに印加されたデータ電圧が画素電極に印加される。
【００５１】
第２基板１２０は、液晶層を介して第１基板１１０と対向して配置される。第２基板１２０は、カラーフィルタ及び共通電極を含む。但し、これに制限されるものではなく、他の実施形態でカラーフィルタ及び共通電極の中で少なくとも１つは、第１基板１１０に形成されてもよい。その他の実施形態で、第２基板１２０は、除去されてもよく、第１基板１２０上にカラーフィルタ、共通電極、及び絶縁層によって密封された液晶層が配置されてもよい。
【００５２】
平面上で第２基板１２０は、第１基板１１０に比べて小さい大きさを有する。第２基板１２０によって第１基板１１０の一部が露出される。
【００５３】
液晶層は、第１基板１１０及び第２基板１２０の間に形成された電界に従って配列状態を変更する複数の液晶分子を含む。
【００５４】
図１で、表示パネル１００は、平面上で長方形の形状を有する例を図示した。表示パネル１００の長辺は、第１方向ＤＲ１に延長し、表示パネル１００の短辺は、第２方向ＤＲ２に延長する。表示パネル１００の厚さ方向は、第３方向ＤＲ３として定義される。
【００５５】
表示装置１０００は、フレキシブル印刷回路基板１３０及び印刷回路基板１４０をさらに含む。
【００５６】
フレキシブル印刷回路基板１３０は、ベンディングされて表示パネル１００と印刷回路基板１４０とを電気的に接続させる。フレキシブル印刷回路基板１３０の一端は、第２基板１２０によって露出された第１基板１１０の一側部上に接続され、他端は、印刷回路基板１４０に接続される。フレキシブル印刷回路基板１３０は、複数個提供される。複数個のフレキシブル印刷回路基板１３０は、第１方向ＤＲ１に互いに離隔される。図１でフレキシブル印刷回路基板１３０は、２個提供された例を例示的に図示した。
【００５７】
印刷回路基板１４０は、バックライトユニットＢＬＵに結合される。印刷回路基板１４０は、フレキシブル印刷回路基板１３０を通じて表示パネル１００に信号を出力するか、或いは表示パネル１００から信号を受信する。
【００５８】
本発明の一実施形態で集積回路チップは、フレキシブル印刷回路基板１３０に実装される。集積回路チップにはデータ駆動回路が具備される。フレキシブル印刷回路基板１３０は、ＴＣＰ（ｔａｐｅ  ｃａｒｒｉｅｒ  ｐａｃｋａｇｅ）又はＣＯＦ（ｃｈｉｐ  ｏｎ  ｆｉｌｍ）である。これに制限されるものではなく、集積回路チップは、第１基板１１０上に直接実装されてもよい。
【００５９】
トップカバー２００は、表示パネル１００の縁をカバーし、表示パネル１００とバックライトユニットＢＬＵとに結合される。トップカバー２００は、表示パネル１００の表示領域ＤＡを露出する開口を具備する。
【００６０】
トップカバー２００は、正面カバー２１０と側面カバー２２０とを含む。正面カバー２１０は、表示パネル１００の上部面の縁をカバーする。側面カバー２２０は、表示パネル１００とバックライトユニットＢＬＵの側面とをカバーする。
【００６１】
バックライトユニットＢＬＵは、表示パネル１００の下部に配置されて表示パネル１００に光を提供する。
【００６２】
バックライトユニットＢＬＵは、ボトムカバー３００、反射シート４００、光源５００、ミドルモールド６００、拡散板７００、光学シート８００を含む。
【００６３】
図３は、図１のＩ−Ｉ’線に沿って切断した断面図であり、図４は、図１のＩＩ−ＩＩ’線に沿って切断した断面図である。
【００６４】
図１乃至図４を参照して、バックライトユニットＢＬＵについて詳細に説明する。
【００６５】
ボトムカバー３００は、底部３１０と側壁３２０とを含む。
【００６６】
底部３１０は、フラットである。底部３１０は、平面上で見る時、方形の形状に提供される。
【００６７】
側壁３２０は、底部３１０の縁から突出されて延長される。側壁３２０は、第１乃至第４側壁３２１〜３２４を含む。第１乃至第４側壁３２１〜３２４の各々は、底部３１０の４辺の各々に接続される。
【００６８】
第１側壁３２１は、フレキシブル印刷回路基板１３０が付着された表示パネル１００の一辺と平行であり、該表示パネル１００の一辺に最も隣接する。第１側壁３２１の一部は、底部３１０に傾いて配置される。第１側壁３２１の一部と底部３１０とがなす角θ１は鈍角である。
【００６９】
第２乃至第４側壁３２２〜３２４は、底部３１０から第３方向ＤＲ３に延長される。
【００７０】
反射シート４００は、底部３１０上に配置され、光源５００の下部に配置される。反射シート４００は、入射された光の大部分を反射する。
【００７１】
バックライトユニットＢＬＵは、駆動基板（図示せず）をさらに含む。駆動基板（図示せず）は、底部３１０と反射シート４００との間に配置される。駆動基板（図示せず）は、光源５００に電気的に接続されて光源５００に駆動信号を提供する。駆動基板（図示せず）は、複数個提供される。
【００７２】
光源５００は、ボトムカバー３００の内に収納される。光源５００は、複数個提供されて反射シート４００上に配置される。光源５００は、直下形として提供されて光源５００から出射された光が別の導光板を経ずに、直接拡散板７００に入射される。
【００７３】
光源５００の各々は、冷陰極蛍光ランプ（ＣＣＦＬ：ｃｏｌｄ  ｃａｔｈｏｄｅ  ｆｌｕｏｒｅｓｃｅｎｔ  ｌａｍｐ）、平板蛍光ランプ（ＦＦＬ：ｆｌａｔ  ｆｌｕｏｒｅｓｃｅｎｔ  ｌａｍｐ）、及び発光ダイオードである。以下で、光源５００の各々は、発光ダイオードである例を例示的に説明する。
【００７４】
光源５００は、ホワイト光を出射するホワイト光源を含んでもよい。但し、これに制限されるものではなく、光源５００は、レッド光を出射するレッド光源、グリーン光を出射するグリーン光源、及びブルー光を出射するブルー光源を含む。
【００７５】
ミドルモールド６００は、安着部分６１０、間隔維持部分６２０、傾斜部分６３０、垂直支持部分６４０、及び拡張部分６５０を含む。
【００７６】
安着部分６１０は、底部３１０と平行である。安着部分６１０は、拡散板７００を支持する。
【００７７】
間隔維持部分６２０は、安着部分６１０の一端に接続される。間隔維持部分６２０は、光学シート８００を支持する。間隔維持部分６２０は、安着部分６１０から第３方向に延長される。間隔維持部分６２０は、拡散板７００と光学シート８００とを第３方向に離隔させる。第３方向ＤＲ３に間隔維持部分６２０の長さは、拡散板７００の厚さと安着部分６１０の厚さとの合計より大きい。
【００７８】
間隔維持部分６２０が第３方向ＤＲ３ではなく、他の方向に延長される場合、表示領域ＤＡの中心位置に比べ、表示領域ＤＡの縁の輝度が低くなる。本発明の一実施形態によるミドルモールド６００の間隔維持部分６２０は、第３方向ＤＲ３に延長されることによって、表示領域ＤＡの中心位置に比べ、表示領域ＤＡの縁の輝度が低くなる現象を減らすことができ、結果的に、表示領域ＤＡの輝度の均一度を向上させることができる。
【００７９】
間隔維持部分６２０は、拡散板７００と第１方向ＤＲ１及び第２方向ＤＲ２とに離隔される。間隔維持部分６２０と拡散板７００との離隔距離Ｄ１、Ｄ２は、拡散板７００が第１方向ＤＲ１及び第２方向ＤＲ２に膨張されることができる空間になる。間隔維持部分６２０と拡散板７００とは、互いに離隔されているので、拡散板７００は、膨張しても損傷されない。
【００８０】
間隔維持部分６２０は、拡散板７００を通過した光から発生する光漏れ現象を防ぐ。具体的に、拡散板７００を通過した光の中で間隔維持部分６２０に入射された光は、間隔維持部分６２０によって遮断される。
【００８１】
間隔維持部分６２０は、互いに接続された２つの側壁によって支持され、残り２つの側壁によって支持されないことができる。本実施形態で、間隔維持部分６２０は、第１側壁３２１及び第２側壁３２２によって支持される。間隔維持部分６２０は、第３側壁３２３及び第４側壁３２４によって支持されない。
【００８２】
傾斜部分６３０は、安着部分６１０の他端から延長され、安着部分６１０に傾ける。傾斜部分６３０は、安着部分６１０と鈍角をなす。垂直支持部分６４０は、傾斜部分６３０から第３方向ＤＲ３の反対方向に延長されて反射シート４００に接触する。
【００８３】
拡張部分６５０は、間隔維持部分６２０からトップカバー２００に隣接した方向に延長される。拡張部分６５０は、互いに接続された２つの側壁によって支持され、残り２つの側壁によって支持されない。本実施形態で、拡張部分６５０は、第３側壁３２３及び第４側壁３２４によって支持される。拡張部分６５０は、第１側壁３２１及び第２側壁３２２によって支持されない。
【００８４】
本発明の一実施形態で、安着部分６１０、間隔維持部分６２０、傾斜部分６３０、垂直支持部分６４０、及び拡張部分６５０は、一体の形状を有する。即ち、安着部分６１０、間隔維持部分６２０、傾斜部分６３０、垂直支持部分６４０、及び拡張部分６５０は、互いに同一の物質から形成され、単一工程を通じて形成される。
【００８５】
拡散板７００は、安着部分６１０上に配置される。拡散板７００は、光源５００から出射された光を均一に拡散させる役割をする。即ち、拡散板７００は、光源５００から入射される光を分散させて光が局部的に密集されることを防止する。図示してないが、拡散板７００と安着部分６１０との間に粘着層が提供される。
【００８６】
光学シート８００は、間隔維持部分６２０上に配置される。光学シート８００は、拡散シート８１０、集光シート８２０、及び保護シート８３０を含む。拡散シート８１０は、入射された光を拡散させる役割をする。集光シート８２０は、拡散された光の輝度を高めてくれる役割をする。保護シート８３０は、集光シート８２０を保護し、視野角を確保する役割をする。本発明の一実施形態で、光学シート８００は、３枚で構成された例を例示的に図示したが、これに制限されるものではなく、４枚以上で構成されてもよい。また、光学シート８００は、拡散シート８１０が除去され、集光シート８２０及び保護シート８３０で構成されてもよい。
【００８７】
光学シート８００の中で最上部に配置された光学シート８３０（図１乃至図４で保護シート）は、表示パネル１００に接触する。
【００８８】
拡散板７００と光学シート８００とは、間隔維持部分６２０によって第３方向ＤＲ３に所定の距離Ｄ３に離隔される。したがって、運送過程で拡散板７００と光学シート８００とが接触された時、摩擦による磨きの問題が解決される。
【００８９】
表示装置１０００は、ホルダＨＤをさらに含む。ホルダＨＤは、第１側壁３２１に締結される。具体的に、ホルダＨＤは、第１側壁３２１に提供されたホールＨＬに挿入されて固定される。第１側壁３２１には互いに離隔された複数個のホールＨＬが提供される。フレキシブル印刷回路基板１３０は、第１側壁３２１にベンディングされ、印刷回路基板１４０は、ホルダＨＤの内部に収納される。
【００９０】
印刷回路基板１４０がボトムカバー３００の下部に配置される場合、表示装置１０００の厚さが厚くなる。本発明の一実施形態で、印刷回路基板１４０は、ホルダＨＤに収納されてボトムカバー３００の側面に結合されることによって、表示装置１０００の厚さが薄くなる。
【００９１】
表示装置１０００は、スペーサーＳＰをさらに含む。スペーサーＳＰは、正面カバー２１０と表示パネル１００との間に配置される。スペーサーＳＰは、表示パネル１００の縁に沿って配置される。スペーサーＳＰは、弾性力がある材質、例えば、ホロン（ｐｈｏｒｏｎｅ）、ウレタン等で形成される。
【００９２】
スペーサーＳＰは、光学シート８００及び表示パネル１００を通過してトップカバー２００に入射された光による光漏れを防ぐ。具体的に、スペーサーＳＰは、光学シート８００及び表示パネル１００を通過した光の中でトップカバー２００に入射された光を遮断する。
【００９３】
図５は、本発明の一実施形態による表示装置を図示した平面図である。
【００９４】
図５を参照すれば、表示装置１０００は、方形の形状の表示領域ＤＡと表示領域ＤＡの辺に沿って提供される第１乃至第４非表示領域ＮＤＡ１〜ＮＤＡ４とに区分される。表示領域ＤＡは、図１に図示された表示パネル１００の表示領域ＤＡに重畳する。第１乃至第４非表示領域ＮＤＡ１〜ＮＤＡ４は、図１に図示された表示パネル１００の非表示領域ＮＤＡに重畳する。
【００９５】
第１及び第２非表示領域ＮＤＡ１、ＮＤＡ２は、第１及び第２側壁３２１、３２２と重畳し、第３及び第４非表示領域ＮＤＡ３、ＮＤＡ４は、第３及び第４側壁３２３、３２４と重畳する。
【００９６】
第１及び第２非表示領域ＮＤＡ１、ＮＤＡ２の幅Ｗ１、Ｗ２は、第３及び第４非表示領域ＮＤＡ３、ＮＤＡ４の幅Ｗ３、Ｗ４より大きく設定される。第１非表示領域ＮＤＡ１の幅Ｗ１は、第２非表示領域ＮＤＡ２の幅Ｗ２と互いに同一である。第３非表示領域ＮＤＡ３の幅Ｗ３及び第４非表示領域ＮＤＡ４の幅Ｗ４は、互いに同一である。
【００９７】
第１非表示領域ＮＤＡ１の幅Ｗ１と第３非表示領域ＮＤＡ３の幅Ｗ３との合計は、第２非表示領域ＮＤＡ２の幅Ｗ２と第４非表示領域ＮＤＡ４の幅Ｗ４との合計と互いに同一である。
【００９８】
本発明の一実施形態によるミドルモールド６００は、第１及び第２側壁３２１、３２２によって支持される間隔維持部分６２０と第３及び第４側壁３２３、３２４によって支持される拡張部分６５０とを有する。本発明のミドルモールド６００の構造によって第１乃至第４非表示領域ＮＤＡ１〜ＮＤＡ４の各々の幅を最小化しながら、第１及び第２非表示領域ＮＤＡ１、ＮＤＡ２の幅Ｗ１は、第３及び第４非表示領域ＮＤＡ３、ＮＤＡ４の幅Ｗ２より大きく設定することができる。
【００９９】
図６乃至図８は、本発明の他の実施形態による表示装置の断面図である。
【０１００】
図６乃至図８に図示された表示装置１００１〜１００３は、図１乃至図４に図示された表示装置１０００と比較してミドルモールド６０１の形状に差異があり、残りは実質的に同一である。以下、図６乃至図８を参照してミドルモールド６０１を具体的に説明し、説明されない構成は、図１乃至図４の説明に従う。
【０１０１】
図６を参照すれば、ミドルモールド６０１は、安着部分６１１、間隔維持部分６２１、傾斜部分６３１、及び拡張部分６５１を含む。
【０１０２】
安着部分６１１、間隔維持部分６２１、及び拡張部分６５１は、図１乃至図４に図示された安着部分６１０、間隔維持部分６２０、及び拡張部分６５０と実質的に同一である。
【０１０３】
傾斜部分６３１は、安着部分６１１の他端から延長されて反射シート４００に接触する。傾斜部分６３１は、安着部分６１０と鈍角をなす。傾斜部分６３１は、一定の勾配を有する。
【０１０４】
安着部分６１１、間隔維持部分６２１、傾斜部分６３１、及び拡張部分６５１は、一体の形状を有する。即ち、安着部分６１１、間隔維持部分６２１、傾斜部分６３１、及び拡張部分６５１は、互いに同一の物質を含んでもよく、また、単一工程を通じて形成されてもよい。
【０１０５】
図７を参照すれば、ミドルモールド６０２は、安着部分６１２、間隔維持部分６２２、傾斜部分６３２、及び拡張部分６５２を含む。安着部分６１２、間隔維持部分６２２、及び拡張部分６５２は、図１乃至図４に図示された安着部分６１０、間隔維持部分６２０、及び拡張部分６５０と実質的に同一である。
【０１０６】
傾斜部分６３２は、安着部分６１２の他端から延長されて反射シート４００に接触する。傾斜部分６３２は、曲がった形状を有する。傾斜部分６３２は、安着部分６１２から遠くなるほど、延長方向が第３方向ＤＲ３に近くなるように曲がる。
【０１０７】
安着部分６１２、間隔維持部分６２２、傾斜部分６３２、及び拡張部分６５２は、一体の形状を有する。即ち、安着部分６１２、間隔維持部分６２２、傾斜部分６３２、及び拡張部分６５２は、互いに同一の物質を含んでもよく、単一工程を通じて形成されてもよい。
【０１０８】
図８を参照すれば、ミドルモールド６０３は、安着部分６１３、間隔維持部分６２３、垂直支持部分６４３、及び拡張部分６５３を含む。安着部分６１３、間隔維持部分６２３、及び拡張部分６５３は、図１乃至図４に図示された安着部分６１０、間隔維持部分６２０、及び拡張部分６５０と実質的に同一である。
【０１０９】
垂直支持部分６４３は、安着部分６１３の他端から第３方向ＤＲ３の反対方向に延長されて反射シート４００に接触する。
【０１１０】
安着部分６１３、間隔維持部分６２３、垂直支持部分６４３、及び拡張部分６５３は、一体の形状を有する。即ち、安着部分６１３、間隔維持部分６２３、垂直支持部分６３３、及び拡張部分６５３は、互いに同一の物質を含んでもよく、単一工程を通じて形成されてもよい。
【０１１１】
図９は、測定位置を図示した本発明の一実施形態による表示装置の表示領域を図示した平面図であり、図１０は、測定位置の輝度に対する中心位置の輝度に対する比率を図示した図面である。
【０１１２】
図９には、便宜上の表示装置の表示領域ＤＡを図示した。表示領域ＤＡは、１２ｘ１２のマトリックス状の長方形に区分する。
【０１１３】
図９で、中心位置ＣＴは、表示領域ＤＡの真ん中の位置として定義される。第１位置は、中心位置ＣＴを介して、８ｘ８のマトリックス状の長方形がなす四角形の頂点である。図９で、第１位置は、四角形の記号で表示した。第２位置は、中心位置ＣＴを介して、１０ｘ１０のマトリックス状の長方形がなす四角形の頂点である。図９で、第２位置は、三角形の記号で表示した。第３位置は、中心位置ＣＴを介して、１２ｘ１２のマトリックス状の長方形がなす四角形の頂点である。図９で、第３位置は、円形状の記号で表示した。第４位置は、中心位置ＣＴを介して、１２ｘ１２のマトリックス状の長方形がなす四角形の頂点を除外した辺である。図９で、第４位置は、閉ループをなす点線に図示した。
【０１１４】
第１位置の輝度の中心位置ＣＴの輝度に対する比率は、９１．５％であり、第２位置の輝度の中心位置ＣＴの輝度に対する比率は、８５．４％であり、第３位置の輝度の中心位置ＣＴの輝度に対する比率は、７８．８％であり、第４位置の輝度の中心位置ＣＴの輝度に対する比率は、８１．３％であった。
【０１１５】
中心位置ＣＴから外殻に行くほど、測定位置の輝度が低くなることを考慮すれば、本発明の一実施形態による表示装置は、位置に関係無く最大輝度の７８．８％以上の輝度を表示していることが分かった。即ち、本発明の一実施形態による表示装置は、輝度の均一度を向上させることができる。
【０１１６】
図１１は、本発明の表示装置が採用されたＤＩＤ（Ｄｉｇｉｔａｌ  Ｉｎｆｏｒｍａｔｉｏｎ  Ｄｉｓｐｌａｙ）装置を図示した図面である。
【０１１７】
図１１で、ＤＩＤ装置２０００は、２ｘ２のマトリックス状に配列された第１乃至第４表示装置１０〜４０を例示的に図示した。但し、これに制限されるものではなく、ＤＩＤ装置２０００は、２ｘ２以外の多様なマトリックス状に配列された表示装置であってもよい。
【０１１８】
第１乃至第４表示装置１０〜４０の各々は、表示領域と第１乃至第４非表示領域とに区分される。例示的に、第１表示装置１０は、表示領域ＤＡ１と第１乃至第４非表示領域ＮＤＡ１１〜ＮＤＡ１４とに区分され、第２表示装置２０は、表示領域ＤＡ２と第１乃至第４非表示領域ＮＤＡ２１〜ＮＤＡ２４とに区分され、第３表示装置３０は、表示領域ＤＡ３と第１乃至第４非表示領域ＮＤＡ３１〜ＮＤＡ３４とに区分され、第４表示装置４０は、表示領域ＤＡ４と第１乃至第４非表示領域ＮＤＡ４１〜ＮＤＡ４４とに区分される。
【０１１９】
第１非表示領域ＮＤＡ１１、ＮＤＡ２１、ＮＤＡ３１、ＮＤＡ４１の幅Ｔ１及び第２非表示領域ＮＤＡ１２、ＮＤＡ２２、ＮＤＡ３２、ＮＤＡ４２の幅Ｔ１は、互いに同一であり、第３非表示領域ＮＤＡ１３、ＮＤＡ２３、ＮＤＡ３３、ＮＤＡ４３の幅Ｔ２及び第４非表示領域ＮＤＡ１４、ＮＤＡ２４、ＮＤＡ３４、ＮＤＡ４４の幅Ｔ２は、互いに同一である。
【０１２０】
第１方向ＤＲ１の、第１表示装置１０と第２表示装置２０の表示領域ＤＡ１、ＤＡ２との間の長さＴ３は、第２方向ＤＲ２の、第１表示装置１０と第３表示装置３０の表示領域ＤＡ１、ＤＡ３との間の長さＴ３と互いに同一である。同様に、第１方向ＤＲ１の、第３表示装置３０と第４表示装置４０の表示領域ＤＡ３、ＤＡ４との間の長さＴ３は、第２方向ＤＲ２の、第２表示装置２０と第４表示装置４０の表示領域ＤＡ２、ＤＡ４との間の長さＴ３と互いに同一である。
【０１２１】
本発明の一実施形態による表示装置１０〜４０を含むＤＩＤ装置２０００によれば、第１方向ＤＲ１に表示装置１０〜４０の隣接した表示領域の間の長さと第２方向ＤＲ２に表示装置１０〜４０の隣接した表示領域の間の長さとを同一に提供することができる。
【０１２２】
一方、本発明は、記載された実施形態に限定されるものではなく、本発明の思想及び範囲を逸脱しないで様々な修正及び変形をすることができることは、この技術分野で通常の知識を有する者には自明なことである。したがって、そのような変形例又は修正例は、本発明の特許請求の範囲に属することとして理解しなければならない。
【符号の説明】
【０１２３】
１０００      表示装置
１００        表示パネル
２００        トップカバー
３００        ボトムカバー
４００        反射シート
５００        光源
６００        ミドルモールド
７００        拡散板
８００        光学シート
ＳＰ          スペーサー
【図１】
2017084777.tif 000003
【図２】
2017084777.tif 000004
【図３】
2017084777.tif 000005
【図４】
2017084777.tif 000006
【図５】
2017084777.tif 000007
【図６】
2017084777.tif 000008
【図７】
2017084777.tif 000009
【図８】
2017084777.tif 000010
【図９】
2017084777.tif 000011
【図１０】
2017084777.tif 000012
【図１１】
2017084777.tif 000013